【手続補正書】
【提出日】令和2年7月10日(2020.7.10)
【手続補正１】
【補正対象書類名】特許請求の範囲
【補正対象項目名】全文
【補正方法】変更
【補正の内容】
【特許請求の範囲】
【請求項１】
方法であって、
第１の基地局（１２０Ａ）が、第２の基地局（１２０Ｂ）から、前記第２の基地局の第２の無線アクセスネットワーク（ＲＡＮ）エリア識別子を含む第２のメッセージを受信することと、
前記第１の基地局が、無線デバイス（１１０）に、前記第１の基地局の第１のセルと関連付けられた第１のＲＡＮエリア識別子を含む少なくとも１つの第３のメッセージを伝送することであって、前記少なくとも１つの第３のメッセージは、無線リソース制御停止状態への前記無線デバイスの状態遷移を示す、ことと、
前記第１の基地局が、前記無線デバイスの１つ以上のパケットを受信することと、
前記第１の基地局が、前記第１のＲＡＮエリア識別子が前記第２のＲＡＮエリア識別子と同一であるときに、前記１つ以上のパケットを受信することに応答して、前記第２の基地局に、ＲＡＮページングメッセージを伝送することであって、前記ＲＡＮページングメッセージは、前記無線デバイスの識別子と、前記第１のＲＡＮエリア識別子とを含む、ことと
を含む、方法。
【請求項２】
前記第１の基地局が、少なくとも前記無線デバイスが前記無線リソース制御停止状態である時間中に、前記無線デバイスの無線デバイスコンテキストを保持することをさらに含み、前記無線デバイスコンテキストは、
ベアラ構成情報、
論理チャネル構成情報、または
セキュリティ情報
のうちの少なくとも１つを含む、請求項１に記載の方法。
【請求項３】
前記第２のＲＡＮエリア識別子は、前記第２の基地局の第２のセルと関連付けられる、請求項１または請求項２に記載の方法。
【請求項４】
前記第１の基地局が、前記第２の基地局に、前記第１の基地局の前記第１のＲＡＮエリア識別子を含む第１のメッセージを伝送することをさらに含む、請求項１〜３のいずれかに記載の方法。
【請求項５】
前記第１のメッセージは、
インターフェース設定要求メッセージ、
インターフェース設定応答メッセージ、または
基地局構成更新メッセージ
を含む、請求項４に記載の方法。
【請求項６】
第１の基地局（１２０Ａ）であって、
１つ以上のプロセッサと、
命令を格納するメモリと
を備え、
前記命令は、前記１つ以上のプロセッサによって実行されると、前記第１の基地局に、
第２の基地局（１２０Ｂ）から、前記第２の基地局の第２の無線アクセスネットワーク（ＲＡＮ）エリア識別子を含む第２のメッセージを受信することと、
無線デバイス（１１０）に、前記第１の基地局の第１のセルと関連付けられた第１のＲＡＮエリア識別子を含む少なくとも１つの第３のメッセージを伝送することであって、前記少なくとも１つの第３のメッセージは、無線リソース制御停止状態への前記無線デバイスの状態遷移を示す、ことと、
前記無線デバイスの１つ以上のパケットを受信することと、
前記第１のＲＡＮエリア識別子が前記第２のＲＡＮエリア識別子と同一であるときに、前記１つ以上のパケットを受信することに応答して、前記第２の基地局に、ＲＡＮページングメッセージを伝送することであって、前記ＲＡＮページングメッセージは、前記無線デバイスの識別子と、前記第１のＲＡＮエリア識別子とを含む、ことと
を行わせる、第１の基地局。
【請求項７】
前記命令は、前記１つ以上のプロセッサによって実行されると、前記第１の基地局に、少なくとも前記無線デバイスが前記無線リソース制御停止状態である時間中に、前記無線デバイスの無線デバイスコンテキストを保持することをさらに行わせ、前記無線デバイスコンテキストは、
ベアラ構成情報、
論理チャネル構成情報、または
セキュリティ情報
のうちの少なくとも１つを含む、請求項６に記載の第１の基地局。
【請求項８】
前記第２のＲＡＮエリア識別子は、前記第２の基地局の第２のセルと関連付けられる、請求項６または請求項７に記載の第１の基地局。
【請求項９】
第１のメッセージは、
インターフェース設定要求メッセージ、
インターフェース設定応答メッセージ、または
基地局構成更新メッセージ
を含む、請求項６〜８のいずれかに記載の第１の基地局。
【請求項１０】
方法であって、
第２の基地局（１２０Ｂ）が、第１の基地局（１２０Ａ）から、前記第１の基地局の第１のセルと関連付けられた第１の無線アクセスネットワーク（ＲＡＮ）エリア識別子を含む第１のメッセージを受信することと、
前記第２の基地局が、前記第１の基地局に、前記第２の基地局の第２のＲＡＮエリア識別子を含む第２のメッセージを伝送することと、
前記第２の基地局が、前記第１のＲＡＮエリア識別子が前記第２のＲＡＮエリア識別子と同一であるときに、前記第１の基地局から、ＲＡＮページングメッセージを受信することであって、前記ＲＡＮページングメッセージは、無線リソース制御停止状態にある無線デバイス（１１０）の識別子と、前記第１のＲＡＮエリア識別子とを含む、ことと
を含む、方法。
【請求項１１】
前記第２のＲＡＮエリア識別子は、前記第２の基地局の第２のセルと関連付けられる、請求項１０に記載の方法。
【請求項１２】
前記無線デバイスは、前記第１のＲＡＮエリア識別子を割り当てられる、請求項１０または請求項１１に記載の方法。
【請求項１３】
第２の基地局（１２０Ｂ）であって、
１つ以上のプロセッサと、
命令を格納するメモリと
を備え、
前記命令は、前記１つ以上のプロセッサによって実行されると、前記第２の基地局に、
第１の基地局（１２０Ａ）から、前記第１の基地局の第１のセルと関連付けられた第１の無線アクセスネットワーク（ＲＡＮ）エリア識別子を含む第１のメッセージを受信することと、
前記第１の基地局に、前記第２の基地局の第２のＲＡＮエリア識別子を含む第２のメッセージを伝送することと、
前記第１の基地局の第１のＲＡＮエリア識別子が前記第２のＲＡＮエリア識別子と同一であるときに、前記第１の基地局から、ＲＡＮページングメッセージを受信することであって、前記ＲＡＮページングメッセージは、無線リソース制御停止状態にある無線デバイス（１１０）の識別子と、前記第１のＲＡＮエリア識別子とを含む、ことと
を行わせる、第２の基地局。
【請求項１４】
前記第２のＲＡＮエリア識別子は、前記第２の基地局の第２のセルを識別する、請求項１３に記載の第２の基地局。
【請求項１５】
前記無線デバイスは、前記第１のＲＡＮエリア識別子を割り当てられる、請求項１３または請求項１４に記載の第２の基地局。
【手続補正２】
【補正対象書類名】明細書
【補正対象項目名】０００２
【補正方法】変更
【補正の内容】
【０００２】
本開示の例示的な実施形態により、通信ネットワーク（複数可）の動作が可能になる。ここに開示する技術の複数の実施形態を、マルチキャリア通信システムの技術分野において用いることが可能である。より詳しくは、ここに開示する技術の実施形態は、マルチキャリア通信システムにおける無線アクセスネットワーク（複数可）に関係し得る。
本発明は、例えば、以下を提供する。
（項目１）
第１の基地局によって、無線リソース制御（ＲＲＣ）接続状態からＲＲＣ停止状態への無線デバイスのＲＲＣ状態遷移を示す少なくとも１つの第１のメッセージを前記無線デバイスに伝送することであって、前記少なくとも１つの第１のメッセージが、周期的無線アクセスネットワーク（ＲＡＮ）通知エリア更新プロシージャの無線デバイスＲＡＮ通知エリア更新タイマと関連付けられた値を示すパラメータを含む、伝送することと、
前記第１の基地局によって、前記無線デバイスＲＡＮ通知エリア更新タイマの満了に応答して、前記無線デバイスによるＲＡＮ通知エリア更新を示す第２のメッセージを受信することと、
前記第１の基地局によって、前記第２のメッセージを前記受信することに応答して、ネットワークＲＡＮ通知エリア更新タイマを開始することと、
前記第１の基地局によって、前記ネットワークＲＡＮ通知エリア更新タイマの満了に応答して、前記無線デバイスの無線デバイスコンテキスト解放要求を示す第３のメッセージをコアネットワークエンティティに伝送することであって、前記第３のメッセージが、前記無線デバイスの識別子を含む、伝送することと、を含む、方法。
（項目２）
前記少なくとも１つの第１のメッセージが、前記無線デバイスと関連付けられたＲＡＮ通知エリア情報をさらに含み、前記ＲＡＮ通知エリア情報が、
ＲＡＮエリア識別子、または
セル識別子のうちの少なくとも１つを含む、項目１に記載の方法。
（項目３）
前記第１の基地局によって、前記ネットワークＲＡＮ通知エリア更新タイマの前記満了に基づいて、前記無線デバイスの無線デバイスコンテキストを解放することをさらに含む、項目１に記載の方法。
（項目４）
前記第３のメッセージが、前記無線デバイスが周期ＲＡＮ通知エリア更新に障害が生じたことをさらに示す、項目１に記載の方法。
（項目５）
前記コアネットワークエンティティが、前記第３のメッセージを受信することに応答して、前記無線デバイスがアイドル状態にあると判定する、項目１に記載の方法。
（項目６）
前記第１の基地局が、少なくとも前記無線デバイスが前記ＲＲＣ停止状態である時間中に、前記無線デバイスの無線デバイスコンテキストを保持し、前記無線デバイスコンテキストが、
ベアラ構成情報、
論理チャネル構成情報、
パケットデータコンバージェンスプロトコル構成情報、または
セキュリティ情報、のうちの少なくとも１つを含む、項目１に記載の方法。
（項目７）
前記無線デバイスＲＡＮ通知エリア更新タイマが、
前記無線デバイスの移動速度、
前記無線デバイスの無線デバイスタイプ、
前記無線デバイスのネットワークスライス、または
前記無線デバイスのベアラ、のうちの少なくとも１つに基づいて構成される、項目１に記載の方法。
（項目８）
前記コアネットワークエンティティによって、前記第３のメッセージに基づいて、前記無線デバイスのページングメッセージを第２の基地局に伝送することと、
前記コアネットワークエンティティによって、前記第２の基地局から前記ページングメッセージに対する応答メッセージを受信することと、をさらに含む、項目１に記載の方法。
（項目９）
前記無線デバイスが、周期ＲＡＮ通知エリア更新に障害が生じることに応答して、前記ＲＲＣ停止状態からＲＲＣアイドル状態にＲＲＣ状態を遷移させる、項目１に記載の方法。
（項目１０）
前記第２のメッセージが、ＲＲＣ接続再開要求メッセージを含む、項目１に記載の方法。
（項目１１）
１つ以上のプロセッサと、
命令を格納するメモリであって、該命令が、前記１つ以上のプロセッサによって実行されたときに、前記基地局に、
無線リソース制御（ＲＲＣ）接続状態からＲＲＣ停止状態への無線デバイスのＲＲＣ状態遷移を示す少なくとも１つの第１のメッセージを前記無線デバイスに伝送することであって、前記少なくとも１つの第１のメッセージが、周期的無線アクセスネットワーク（ＲＡＮ）通知エリア更新プロシージャの無線デバイスＲＡＮ通知エリア更新タイマと関連付けられた値を示すパラメータを含む、伝送することと、
前記無線デバイスＲＡＮ通知エリア更新タイマの満了に応答して、前記無線デバイスによるＲＡＮ通知エリア更新を示す第２のメッセージを受信することと、
前記第２のメッセージの前記受信することに応答して、ネットワークＲＡＮ通知エリア更新タイマを開始することと、
前記ネットワークＲＡＮ通知エリア更新タイマの満了に応答して、前記無線デバイスの無線デバイスコンテキスト解放要求を示す第３のメッセージをコアネットワークエンティティに伝送することであって、前記第３のメッセージが、前記無線デバイスの識別子を含む、伝送することと、を行わせる、メモリと、を備える、基地局。
（項目１２）
前記少なくとも１つの第１のメッセージが、前記無線デバイスと関連付けられたＲＡＮ通知エリア情報をさらに含み、前記ＲＡＮ通知エリア情報が、
ＲＡＮエリア識別子、または
セル識別子のうちの少なくとも１つを含む、項目１１に記載の基地局。
（項目１３）
前記命令が、前記１つ以上のプロセッサによって実行されたときに、前記基地局に、前記ネットワークＲＡＮ通知エリア更新タイマの満了に基づいて、前記無線デバイスの無線デバイスコンテキストを解放することをさらに行わせる、項目１１に記載の基地局。
（項目１４）
前記第３のメッセージが、前記無線デバイスが周期ＲＡＮ通知エリア更新に障害が生じたことをさらに示す、項目１１に記載の基地局。
（項目１５）
前記コアネットワークエンティティが、前記第３のメッセージを受信することに応答して、前記無線デバイスがアイドル状態にあると判定する、項目１１に記載の基地局。
（項目１６）
前記命令が、前記１つ以上のプロセッサによって実行されたときに、前記基地局に、少なくとも前記無線デバイスが前記ＲＲＣ停止状態である時間中に、前記無線デバイスの無線デバイスコンテキストを保持することをさらに行わせ、前記無線デバイスコンテキストが、
ベアラ構成情報、
論理チャネル構成情報、
パケットデータコンバージェンスプロトコル構成情報、または
セキュリティ情報、のうちの少なくとも１つを含む、項目１１に記載の基地局。
（項目１７）
前記無線デバイスＲＡＮ通知エリア更新タイマが、
前記無線デバイスの移動速度、
前記無線デバイスの無線デバイスタイプ、
前記無線デバイスのネットワークスライス、または
前記無線デバイスのベアラ、のうちの少なくとも１つに基づいて構成される、項目１１に記載の基地局。
（項目１８）
前記コアネットワークエンティティがさらに、
前記第３のメッセージに基づいて、前記無線デバイスのページングメッセージを第２の基地局に伝送し、
前記第２の基地局から前記ページングメッセージに対する応答メッセージを受信する、項目１１に記載の基地局。
（項目１９）
前記無線デバイスが、周期ＲＡＮ通知エリア更新に障害が生じることに応答して、前記ＲＲＣ停止状態からＲＲＣアイドル状態にＲＲＣ状態を遷移させる、項目１１に記載の基地局。
（項目２０）
前記第２のメッセージが、ＲＲＣ接続再開要求メッセージを含む、項目１１に記載の基地局。
（項目２１）
第１の基地局によって、無線リソース制御（ＲＲＣ）接続状態からＲＲＣ停止状態への無線デバイスのＲＲＣ状態遷移を示す少なくとも１つの第１のメッセージを前記無線デバイスに伝送することと、
前記第１の基地局によって、前記無線デバイスから、前記無線デバイスによるＲＡＮ通知エリア更新を示す第２のメッセージを受信することと、
前記第１の基地局によって、前記第２のメッセージを前記受信することに応答して、ネットワーク無線アクセスネットワーク（ＲＡＮ）通知エリア更新タイマを開始することと、
前記第１の基地局によって、かつ前記ネットワークＲＡＮ通知エリア更新タイマの満了に応答して、前記無線デバイスの無線デバイスコンテキスト解放要求を示す第３のメッセージをコアネットワークエンティティに伝送することであって、前記第３のメッセージが、前記無線デバイスの識別子を含む、伝送することと、を含む、方法。
（項目２２）
第１の基地局によって、無線リソース制御（ＲＲＣ）接続状態からＲＲＣ停止状態への無線デバイスのＲＲＣ状態遷移を示す少なくとも１つの第１のメッセージを前記無線デバイスに伝送することであって、前記少なくとも１つの第１のメッセージが、周期的無線アクセスネットワーク（ＲＡＮ）通知エリア更新プロシージャの無線デバイスＲＡＮ通知エリア更新タイマと関連付けられた値を示すパラメータを含む、伝送することと、
前記第１の基地局によって、前記無線デバイスＲＡＮ通知エリア更新タイマの満了に応答して、前記無線デバイスによるＲＡＮ通知エリア更新を示す第２のメッセージを受信することと、
前記第１の基地局によって、コアネットワークエンティティに、かつ持続時間内にＲＡＮ通知エリア更新を受信しないことに応答して、前記無線デバイスの無線デバイスコンテキスト解放要求を示す第３のメッセージを伝送することであって、前記期間が、前記無線デバイスＲＡＮ通知エリア更新タイマと関連付けられた前記値よりも長い、伝送することと、を含む、方法。
（項目２３）
前記第３のメッセージが、前記無線デバイスの識別子を含む、項目２２に記載の方法。
（項目２４）
第１の基地局によって、無線リソース制御（ＲＲＣ）接続状態からＲＲＣ停止状態への無線デバイスのＲＲＣ状態遷移を示す少なくとも１つの第１のメッセージを前記無線デバイスに伝送することであって、前記少なくとも１つの第１のメッセージが、周期的無線アクセスネットワーク（ＲＡＮ）通知エリア更新プロシージャの無線デバイスＲＡＮ通知エリア更新タイマと関連付けられた第１の値を示すパラメータを含む、伝送することと、
前記無線デバイスによって、前記ＲＲＣ状態遷移に応答して、無線デバイスＲＡＮ通知エリア更新タイマを開始することと、
前記第１の基地局によって、前記無線デバイスＲＡＮ通知エリア更新タイマの満了に応答して、前記無線デバイスによる第２の値を有するＲＡＮ通知エリア更新を示す第２のメッセージを受信することと、
前記第１の基地局によって、前記第２のメッセージを前記受信することに応答して、ネットワークＲＡＮ通知エリア更新タイマを開始することと、
前記第１の基地局によって、コアネットワークエンティティに、かつ前記ネットワークＲＡＮ通知エリア更新タイマの満了に応答して、前記無線デバイスの無線デバイスコンテキスト解放要求を示す第３のメッセージを伝送することであって、
前記第３のメッセージが、前記無線デバイスの識別子を含み、
前記ネットワークＲＡＮ通知エリア更新タイマの前記第２の値が、前記無線デバイスＲＡＮ通知エリア更新タイマの前記第１の値よりも大きい、伝送することと、を含む、方法。
（項目２５）
方法であって、
前記第１の基地局によって、第１のコアネットワークエンティティから、無線リソース制御（ＲＲＣ）停止状態にある無線デバイスの１つ以上のパケットを受信することと、
前記第１の基地局によって、少なくとも１つのＲＡＮページングメッセージを少なくとも１つの第２の基地局に送信することを含む無線アクセスネットワーク（ＲＡＮ）ページングプロシージャを開始することであって、前記少なくとも１つのＲＡＮページングメッセージが、前記無線デバイスの第１の識別子を含む、開始することと、
前記第１の基地局によって、前記少なくとも１つのＲＡＮページングメッセージの応答を受信しないことに応答して、前記ＲＡＮページングプロシージャの障害を判定することと、
前記第１の基地局によって、前記ＲＡＮページングプロシージャの前記障害に応答して、第１のメッセージを第２のコアネットワークエンティティに送信することと、
前記第１の基地局によって、前記第２のコアネットワークエンティティから、かつ前記第１のメッセージに応答して、前記１つ以上のパケットをフォワーディングするための第３の基地局のトンネルエンドポイント識別子を含む第２のメッセージを受信することと、
前記第１の基地局によって、前記トンネルエンドポイント識別子に基づいて、前記１つ以上のパケットを前記第３の基地局に送信することと、を含む、方法。
（項目２６）
前記第２のコアネットワークエンティティによって、かつ前記第１のメッセージを受信することに応答して、第１のページングメッセージを前記第３の基地局に送信することを含むコアネットワークページングプロシージャを開始することであって、前記第１のページングメッセージが、前記無線デバイスの第２の識別子を含む、開始することと、
前記第２のコアネットワークエンティティによって、前記第３の基地局から、前記第１のページングメッセージに応答して、第３のメッセージを受信することであって、前記第３のメッセージが、前記第３の基地局の前記トンネルエンドポイント識別子を含む、受信することと、をさらに含む、項目２５に記載の方法。
（項目２７）
前記第１のコアネットワークエンティティが、制御プレーンコアネットワークノードを含み、
前記第２のコアネットワークエンティティが、ユーザプレーンコアネットワークノードを含む、項目２５に記載の方法。
（項目２８）
前記１つ以上のパケットを前記送信することが、前記第１の基地局と前記第３の基地局との間の直接トンネルを介し、前記直接トンネルが、前記トンネルエンドポイント識別子と関連付けられている、項目２５に記載の方法。
（項目２９）
前記トンネルエンドポイント識別子が、前記第３の基地局のインターネットプロトコル（ＩＰ）アドレスを含む、項目２５に記載の方法。
（項目３０）
前記第１のメッセージが、前記ＲＡＮページングプロシージャの障害を示す、項目２５に記載の方法。
（項目３１）
前記少なくとも１つのＲＡＮページングメッセージが、
ＲＡＮ通知情報、
前記無線デバイスのコンテキスト識別子、または
前記ＲＡＮページングプロシージャを開始する理由、のうちの少なくとも１つを含む、項目２５に記載の方法。
（項目３２）
前記少なくとも１つの第２の基地局が、前記少なくとも１つのＲＡＮページングメッセージを受信することに応答して、無線インターフェースを介して、第２のＲＡＮページングメッセージを伝送する、項目２５に記載の方法。
（項目３３）
１つ以上のプロセッサと、
命令を格納するメモリであって、該命令が、前記１つ以上のプロセッサによって実行されたときに、前記基地局に、
第１のコアネットワークエンティティから、無線リソース制御（ＲＲＣ）停止状態にある無線デバイスの１つ以上のパケットを受信することと、
少なくとも１つのＲＡＮページングメッセージを少なくとも１つの第２の基地局に送信することを含む無線アクセスネットワーク（ＲＡＮ）ページングプロシージャを開始することであって、前記少なくとも１つのＲＡＮページングメッセージが、前記無線デバイスの第１の識別子を含む、開始することと、
前記少なくとも１つのＲＡＮページングメッセージの応答を受信しないことに応答して、前記ＲＡＮページングプロシージャの障害を判定することと、
前記ＲＡＮページングプロシージャの前記障害に応答して、第１のメッセージを第２のコアネットワークエンティティに送信することと、
前記第２のコアネットワークエンティティから、かつ前記第１のメッセージに応答して、前記１つ以上のパケットをフォワーディングするための第３の基地局のトンネルエンドポイント識別子を含む第２のメッセージを受信することと、
前記トンネルエンドポイント識別子に基づいて、前記１つ以上のパケットを前記第３の基地局に送信することと、を行わせる、メモリと、を備える、基地局。
（項目３４）
前記第２のコアネットワークエンティティが、
前記第１のメッセージを受信することに応答して、第１のページングメッセージを前記第３の基地局に送信することを含むコアネットワークページングプロシージャを開始し、前記第１のページングメッセージが、前記無線デバイスの第２の識別子を含み、
前記第３の基地局から、前記第１のページングメッセージに応答して、第３のメッセージを受信し、前記第３のメッセージが、前記第３の基地局のトンネルエンドポイント識別子を含む、項目３３に記載の基地局。
（項目３５）
前記第１のコアネットワークエンティティが、制御プレーンコアネットワークノードを含み、
前記第２のコアネットワークエンティティが、ユーザプレーンコアネットワークノードを含む、項目３３に記載の基地局。
（項目３６）
前記１つ以上のパケットを前記送信することが、前記基地局と前記第３の基地局との間の直接トンネルを介し、前記直接トンネルが、前記トンネルエンドポイント識別子と関連付けられる、項目３３に記載の基地局。
（項目３７）
前記トンネルエンドポイント識別子が、前記第３の基地局のインターネットプロトコル（ＩＰ）アドレスを含む、項目３３に記載の基地局。
（項目３８）
前記第１のメッセージが、前記ＲＡＮページングプロシージャの障害を示す、項目３３に記載の基地局。
（項目３９）
前記少なくとも１つのＲＡＮページングメッセージが、
ＲＡＮ通知情報、
前記無線デバイスのコンテキスト識別子、または
前記ＲＡＮページングプロシージャを開始する理由、のうちの少なくとも１つを含む、項目３３に記載の基地局。
（項目４０）
前記少なくとも１つの第２の基地局が、前記少なくとも１つのＲＡＮページングメッセージを受信することに応答して、無線インターフェースを介して、第２のＲＡＮページングメッセージを伝送する、項目３３に記載の基地局。
（項目４１）
第３の基地局によって、第２のコアネットワークエンティティから、無線デバイスの第１のページングメッセージを受信することであって、前記第１のページングメッセージが、前記無線デバイスの第２の識別子を含む、受信することと、
前記第３の基地局によって、かつ前記第１のページングメッセージを受信することに応答して、無線インターフェースを介して、前記無線デバイスの第２のページングメッセージを伝送することと、
前記第３の基地局によって、前記無線デバイスから、かつ前記第１のページングメッセージに応答して、無線リソース制御（ＲＲＣ）接続のためのランダムアクセスプリアンブルを受信することと、
前記第３の基地局によって、前記第２のコアネットワークエンティティに、かつ前記ＲＲＣ接続に応答して、前記第３の基地局のトンネルエンドポイント識別子を含む第３のメッセージを伝送することと、
前記第３の基地局によって、前記トンネルエンドポイント識別子に基づいて、第１の基地局から１つ以上のパケットを受信することと、を含む、方法。
（項目４２）
前記第２のコアネットワークエンティティが、ユーザプレーンコアネットワークノードを含む、項目４１に記載の方法。
（項目４３）
前記１つ以上のパケットを前記受信することが、前記第１の基地局と前記第３の基地局との間の直接トンネルを介し、前記直接トンネルが、前記トンネルエンドポイント識別子と関連付けられる、項目４１に記載の方法。
（項目４４）
前記トンネルエンドポイント識別子が、前記第３の基地局のインターネットプロトコル（ＩＰ）アドレスを含む、項目４１に記載の方法。
（項目４５）
第１の基地局によって、第１のコアネットワークエンティティから無線デバイスの１つ以上のパケットを受信することと、
前記第１の基地局によって、少なくとも１つのページングメッセージを少なくとも１つの第２の基地局に送信することを含むページングプロシージャを開始することであって、前記少なくとも１つのページングメッセージが、前記無線デバイスの第１の識別子を含む、開始することと、
前記第１の基地局によって、前記ページングプロシージャの障害を判定することに応答して、第１のメッセージを第２のコアネットワークエンティティに送信することと、
前記第１の基地局によって、前記第２のコアネットワークエンティティから、かつ前記第１のメッセージに応答して、前記１つ以上のパケットをフォワーディングするための第３の基地局のトンネル識別子を含む第２のメッセージを受信することと、
前記第１の基地局によって、前記トンネル識別子に基づいて、前記１つ以上のパケットを前記第３の基地局に送信することと、を含む、方法。
（項目４６）
前記ページングプロシージャが、無線アクセスネットワーク（ＲＡＮ）ページングプロシージャである、項目４５に記載の方法。
（項目４７）
前記トンネル識別子が、トンネルエンドポイント識別子である、項目４５に記載の方法。
（項目４８）
前記無線デバイスが、無線リソース制御停止状態にある、項目４５に記載の方法。
（項目４９）
前記障害を前記判定することが、前記少なくとも１つのページングメッセージの応答を受信しないことに応答する、項目４５に記載の方法。
（項目５０）
前記第１のメッセージが、前記ページングプロシージャの前記障害を示す、項目４５に記載の方法。
（項目５１）
第１の基地局によって、前記第１の基地局の第１の無線アクセスネットワーク（ＲＡＮ）エリア識別子を含む第１のメッセージを第２の基地局に伝送することと、
前記第１の基地局によって、前記第２の基地局から、前記第２の基地局の第２のＲＡＮエリア識別子を含む第２のメッセージを受信することと、
前記第１の基地局によって、前記第１のＲＡＮエリア識別子を含む少なくとも１つの無線リソース制御（ＲＲＣ）メッセージを無線デバイスに伝送することであって、前記少なくとも１つのＲＲＣメッセージが、ＲＲＣ停止状態への前記無線デバイスの状態遷移を示す、伝送することと、
前記第１の基地局によって、前記無線デバイスの１つ以上のパケットを受信することと、
前記第１のＲＡＮエリア識別子が前記第２のＲＡＮエリア識別子と同一であるときに、前記第１の基地局によって、かつ前記１つ以上のパケットを受信することに応答して、ＲＡＮページングメッセージを前記第２の基地局に伝送することであって、前記ＲＡＮページングメッセージが、前記無線デバイスの識別子および前記第１のＲＡＮエリア識別子を含む、伝送することと、を含む、方法。
（項目５２）
前記第１のメッセージが、前記第１の基地局の第１のセルの第１のセル識別子をさらに含み、前記第１のセルが、前記第１のＲＡＮエリア識別子と関連付けられている、項目５１に記載の方法。
（項目５３）
前記第２のメッセージが、前記第２の基地局の第２のセルの第２のセル識別子をさらに含み、前記第２のセルが、前記第２のＲＡＮエリア識別子と関連付けられている、項目５１に記載の方法。
（項目５４）
前記ＲＡＮページングメッセージを前記伝送することが、前記無線デバイスが前記ＲＲＣ停止状態にあることにさらに応答する、項目５１に記載の方法。
（項目５５）
前記第１の基地局によって、前記ＲＡＮページングメッセージに応答して、前記第２の基地局から第３のメッセージを受信することと、
前記第１の基地局によって、前記第３のメッセージに応答して、前記無線デバイスの前記１つ以上のパケットを前記第２の基地局に伝送することと、をさらに含む、項目５１に記載の方法。
（項目５６）
前記第１の基地局が、少なくとも前記無線デバイスが前記ＲＲＣ停止状態である時間中に、前記無線デバイスの無線デバイスコンテキストを保持し、前記無線デバイスコンテキストが、
ベアラ構成情報、
論理チャネル構成情報、または
セキュリティ情報、のうちの少なくとも１つを含む、項目５１に記載の方法。
（項目５７）
前記第１のメッセージが、
インターフェース設定要求メッセージ、
インターフェース設定応答メッセージ、または
基地局構成更新メッセージ、のうちの少なくとも１つを含む、項目５１に記載の方法。
（項目５８）
前記第１の基地局が、コアネットワークエンティティから前記１つ以上のパケットを受信する、項目５１に記載の方法。
（項目５９）
前記第１の基地局によって、１つ以上のＲＡＮページングメッセージを、前記第１のＲＡＮ識別子と関連付けられた１つ以上の第３の基地局に伝送することをさらに含む、項目５１に記載の方法。
（項目６０）
１つ以上のプロセッサと、
命令を格納するメモリであって、該命令が、前記１つ以上のプロセッサによって実行されたときに、前記基地局に、
前記基地局の第１の無線アクセスネットワーク（ＲＡＮ）エリア識別子を含む第１のメッセージを第２の基地局に伝送することと、
前記第２の基地局から前記第２の基地局の第２のＲＡＮエリア識別子を含む第２のメッセージを受信することと、
前記第１のＲＡＮエリア識別子を含む少なくとも１つの無線リソース制御（ＲＲＣ）メッセージを無線デバイスに伝送することであって、前記少なくとも１つのＲＲＣメッセージが、ＲＲＣ停止状態への前記無線デバイスの状態遷移を示す、伝送することと、
前記無線デバイスの１つ以上のパケットを受信することと、
前記第１のＲＡＮエリア識別子が前記第２のＲＡＮエリア識別子と同一であるときに、前記第２の基地局に、かつ前記１つ以上のパケットを受信することに応答して、ＲＡＮページングメッセージを伝送することであって、前記ＲＡＮページングメッセージが、前記無線デバイスの識別子および前記第１のＲＡＮエリア識別子を含む、伝送することと、を行わせる、メモリと、を備える、基地局。
（項目６１）
前記第１のメッセージが、前記基地局の第１のセルの第１のセル識別子をさらに含み、前記第１のセルが、前記第１のＲＡＮエリア識別子と関連付けられている、項目６０に記載の基地局。
（項目６２）
前記第２のメッセージが、前記第２の基地局の第２のセルの第２のセル識別子をさらに含み、前記第２のセルが、前記第２のＲＡＮエリア識別子と関連付けられている、項目６０に記載の基地局。
（項目６３）
前記ＲＡＮページングメッセージを前記伝送することが、前記無線デバイスが前記ＲＲＣ停止状態にあることにさらに応答する、項目６０に記載の基地局。
（項目６４）
前記命令が、前記１つ以上のプロセッサによって実行されたときに、前記基地局に、
前記ＲＡＮページングメッセージに応答して、前記第２の基地局から第３のメッセージを受信することと、
前記第３のメッセージに応答して、前記無線デバイスの前記１つ以上のパケットを前記第２の基地局に伝送することと、をさらに行わせる、項目６０に記載の基地局。
（項目６５）
前記基地局が、少なくとも前記無線デバイスが前記ＲＲＣ停止状態である時間中に、前記無線デバイスの無線デバイスコンテキストを保持し、前記無線デバイスコンテキストが、
ベアラ構成情報、
論理チャネル構成情報、または
セキュリティ情報、のうちの少なくとも１つを含む、項目６０に記載の基地局。
（項目６６）
前記第１のメッセージが、
インターフェース設定要求メッセージ、
インターフェース設定応答メッセージ、または
基地局構成更新メッセージ、のうちの少なくとも１つを含む、項目６０に記載の基地局。
（項目６７）
前記基地局が、コアネットワークエンティティから前記１つ以上のパケットを受信する、項目６０に記載の基地局。
（項目６８）
前記命令が、前記１つ以上のプロセッサによって実行されたときに、前記基地局に、１つ以上のＲＡＮページングメッセージを、前記第１のＲＡＮ識別子と関連付けられた１つ以上の第３の基地局に伝送することをさらに行わせる、項目６０に記載の基地局。
（項目６９）
第２の基地局によって、第１の基地局から前記第１の基地局の第１の無線アクセスネットワーク（ＲＡＮ）エリア識別子を含む第１のメッセージを受信することと、
前記第２の基地局によって、前記第２の基地局の第２のＲＡＮエリア識別子を含む第２のメッセージを前記第１の基地局に伝送することと、
前記第２の基地局によって、前記第１のＲＡＮエリア識別子が前記第２のＲＡＮエリア識別子と同一であるときに、前記第１の基地局から無線デバイスのＲＡＮページングメッセージを受信することであって、前記無線デバイスが、
無線リソース制御（ＲＲＣ）停止状態にあり、かつ
前記第１のＲＡＮエリア識別子が割り当てられている、受信することと、を含む、方法。
（項目７０）
前記ＲＡＮページングメッセージが、前記無線デバイスの識別子および前記第１のＲＡＮエリア識別子を含む、項目６９に記載の方法。
（項目７１）
第１の基地局によって、第２の基地局から前記第２の基地局の第２の無線アクセスネットワーク（ＲＡＮ）エリア識別子を含む第２のメッセージを受信することと、
前記第１の基地局によって、第１のＲＡＮエリア識別子を含む少なくとも１つの第３のメッセージを無線デバイスに伝送することであって、前記少なくとも１つの第３のメッセージが、無線リソース制御停止状態への前記無線デバイスの状態遷移を示す、伝送することと、
前記第１の基地局によって、前記無線デバイスの１つ以上のパケットを受信することと、
前記第１の基地局によって、前記第１のＲＡＮエリア識別子が前記第２のＲＡＮエリア識別子と同一であるときに、前記１つ以上のパケットを受信することに応答して、ＲＡＮページングメッセージを前記第２の基地局に伝送することであって、前記ＲＡＮページングメッセージが、前記無線デバイスの識別子および前記第１のＲＡＮエリア識別子を含む、伝送することと、を含む、方法。
（項目７２）
前記第１の基地局によって、前記第１の基地局の第１のＲＡＮエリア識別子を含む第１のメッセージを前記第２の基地局に伝送することをさらに含む、項目７１に記載の方法。
（項目７３）
第１の基地局によって、第２の基地局から、無線デバイスと関連付けられた少なくとも１つの第１のパケットを受信することと、
前記第１の基地局によって、前記無線デバイスが無線リソース制御（ＲＲＣ）停止状態にあるときに、コアネットワークエンティティから前記無線デバイスの少なくとも１つの第２のパケットを受信することと、
前記第１の基地局によって、第１の持続時間が第１の時間値よりも大きいことに応答して、第１の無線アクセスネットワーク（ＲＡＮ）ページングメッセージを、前記無線デバイスと関連付けられたＲＡＮエリアの第３の基地局に伝送することであって、前記第１の持続時間が、前記少なくとも１つの第１のパケットを前記受信することと、前記少なくとも１つの第２のパケットを前記受信することとの間の持続時間を含む、伝送することと、
前記第１の基地局によって、前記第１の持続時間が前記第１の時間値よりも小さいか大きいかに関係なく、第２のＲＡＮページングメッセージを前記第２の基地局に伝送することと、
前記第１の基地局によって、前記第１のＲＡＮページングメッセージまたは前記第２のＲＡＮページングメッセージのうちの１つについて受信された応答に基づいて、前記少なくとも１つの第２のパケットを前記第２の基地局または前記第３の基地局のうちの１つに伝送することと、を含む、方法。
（項目７４）
前記ＲＡＮエリアが、ＲＡＮ通知エリアと関連付けられている、項目７３に記載の方法。
（項目７５）
前記第１のＲＡＮページングメッセージまたは前記第２のＲＡＮページングメッセージが、
無線デバイスの識別子と、
前記ＲＡＮエリアのＲＡＮエリア情報と、を含む、項目７３に記載の方法。
（項目７６）
前記少なくとも１つの第１のパケットが、
前記ＲＲＣ停止状態にある前記無線デバイスのアップリンクデータ伝送、
データ伝送、
ＲＡＮ通知エリア更新プロシージャ、
ＲＲＣ停止状態接続状態から前記ＲＲＣ停止状態への前記無線デバイスの状態遷移、のうちの少なくとも１つと関連付けられている、項目７３に記載の方法。
（項目７７）
前記第１の時間値が、前記無線デバイスの移動速度に基づく、項目７３に記載の方法。
（項目７８）
前記第１の基地局が、少なくとも前記無線デバイスが前記ＲＲＣ停止状態である時間中に、前記無線デバイスの無線デバイスコンテキストを保持し、前記無線デバイスコンテキストが、
ベアラ構成情報、
論理チャネル構成情報、
パケットデータコンバージェンスプロトコル構成情報、または
セキュリティ情報、のうちの少なくとも１つを含む、項目７３に記載の方法。
（項目７９）
前記第１の基地局が、前記ＲＡＮエリアと関連付けられている、項目７３に記載の方法。
（項目８０）
前記第１の基地局によって、前記ＲＡＮエリアのＲＡＮエリア情報を含む少なくとも１つのＲＲＣメッセージを前記無線デバイスに伝送することであって、前記少なくとも１つのＲＲＣメッセージが、前記ＲＲＣ停止状態への前記無線デバイスの状態遷移を示す、伝送することをさらに含む、項目７３に記載の方法。
（項目８１）
前記第２の基地局によって、
前記第２のＲＡＮページングメッセージを受信すること、および
第２の持続時間が第２の時間値よりも大きいことに応答して、前記無線デバイスと関連付けられた前記ＲＡＮエリアの第１のセルを介して、第１のページングメッセージを伝送することであって、前記第２の持続時間が、前記無線デバイスから前記少なくとも１つの第１のパケットを受信することと、前記第２のＲＡＮページングメッセージを前記受信することとの間の持続時間を含む、伝送することと、
前記第２の基地局によって、前記第２の持続時間が前記第２の時間値よりも小さいか大きいかに関係なく、第２のセルを介して、第２のページングメッセージを伝送することであって、前記第２の基地局が、前記第２のセルを介して、前記無線デバイスから前記少なくとも１つの第１のパケットを受信する、伝送することと、をさらに含む、項目７３に記載の方法。
（項目８２）
前記第２の基地局によって、前記第１のページングメッセージまたは前記第２のページングメッセージのうちの１つについて受信された応答に基づいて、前記第１のセルまたは前記第２のセルの１つを介して、前記少なくとも１つの第２のパケットを伝送することをさらに含む、項目８１に記載の方法。
（項目８３）
１つ以上のプロセッサと、
命令を格納するメモリであって、該命令が、前記１つ以上のプロセッサによって実行されたときに、前記基地局に、
前記第２の基地局から、無線デバイスと関連付けられた少なくとも１つの第１のパケットを受信することと、
前記無線デバイスが無線リソース制御（ＲＲＣ）停止状態にあるときに、コアネットワークエンティティから前記無線デバイスの少なくとも１つの第２のパケットを受信することと、
前記無線デバイスと関連付けられたＲＡＮエリアの第３の基地局に、かつ第１の持続時間が第１の時間値よりも大きいことに応答して、第１の無線アクセスネットワーク（ＲＡＮ）ページングメッセージを伝送することであって、前記第１の持続時間が、前記少なくとも１つの第１のパケットを前記受信することと、前記少なくとも１つの第２のパケットを前記受信することとの間の持続時間を含む、伝送することと、
前記第１の持続時間が前記第１の時間値よりも小さいか大きいかに関係なく、第２のＲＡＮページングメッセージを前記第２の基地局に伝送することと、
前記第１のＲＡＮページングメッセージまたは前記第２のＲＡＮページングメッセージのうちの１つについて受信された応答に基づいて、前記少なくとも１つの第２のパケットを前記第２の基地局または前記第３の基地局のうちの１つに伝送することと、を行わせる、メモリと、を備える基地局。
（項目８４）
前記ＲＡＮエリアが、ＲＡＮ通知エリアと関連付けられている、項目８３に記載の基地局。
（項目８５）
前記第１のＲＡＮページングメッセージまたは前記第２のＲＡＮページングメッセージが、
無線デバイスの識別子と、
前記ＲＡＮエリアのＲＡＮエリア情報と、を含む、項目８３に記載の基地局。
（項目８６）
前記少なくとも１つの第１のパケットが、
前記ＲＲＣ停止状態にある前記無線デバイスのアップリンクデータ伝送、
データ伝送、
ＲＡＮ通知エリア更新プロシージャ、
ＲＲＣ停止状態接続状態から前記ＲＲＣ停止状態への前記無線デバイスの状態遷移、のうちの少なくとも１つと関連付けられている、項目８３に記載の基地局。
（項目８７）
前記第１の時間値が、前記無線デバイスの移動速度に基づく、項目８３に記載の基地局。
（項目８８）
前記基地局が、少なくとも前記無線デバイスが前記ＲＲＣ停止状態である時間中に、前記無線デバイスの無線デバイスコンテキストを保持し、前記無線デバイスコンテキストが、
ベアラ構成情報、
論理チャネル構成情報、
パケットデータコンバージェンスプロトコル構成情報、または
セキュリティ情報、のうちの少なくとも１つを含む、項目８３に記載の基地局。
（項目８９）
前記基地局が、前記ＲＡＮエリアと関連付けられている、項目８３に記載の基地局。
（項目９０）
前記命令が、前記１つ以上のプロセッサによって実行されたときに、前記基地局に、前記ＲＡＮエリアのＲＡＮエリア情報を含む少なくとも１つのＲＲＣメッセージを前記無線デバイス伝送することであって、前記少なくとも１つのＲＲＣメッセージが、前記ＲＲＣ停止状態への前記無線デバイスの状態遷移を示す、伝送することをさらに行わせる、項目８３に記載の基地局。
（項目９１）
前記第２の基地局が、
前記無線デバイスと関連付けられた前記ＲＡＮエリアの第１のセルを介して、第１のページングメッセージを、
前記第２のＲＡＮページングメッセージを受信すること、および
第２の持続時間が第２の時間値よりも大きいこと、に応答して、伝送することであって、前記第２の持続時間が、前記無線デバイスから前記少なくとも１つの第１のパケットを受信することと、前記第２のＲＡＮページングメッセージを前記受信することとの間の持続時間を含む、伝送することと、
前記第２の持続時間が前記第２の時間値よりも小さいか大きいかに関係なく、第２のセルを介して、第２のページングメッセージを伝送することであって、前記第２の基地局が、前記第２のセルを介して、前記無線デバイスから前記少なくとも１つの第１のパケットを受信する、伝送することと、をさらに行う、項目８３に記載の基地局。
（項目９２）
前記第２の基地局が、前記第１のページングメッセージまたは前記第２のページングメッセージのうちの１つについて受信された応答に基づいて、前記第１のセルまたは前記第２のセルの１つを介して、前記少なくとも１つの第２のパケットをさらに伝送する、項目９１に記載の基地局。
（項目９３）
第１の基地局によって、第２の基地局から、無線デバイスと関連付けられた少なくとも１つの第１のパケットを受信することと、
前記第１の基地局によって、前記無線デバイスが無線リソース制御（ＲＲＣ）停止状態にあるときに、コアネットワークエンティティから前記無線デバイスの少なくとも１つの第２のパケットを受信することと、
前記第１の基地局によって、前記少なくとも１つの第１のパケットを前記受信することと、前記少なくとも１つの第２のパケットを前記受信することとの間の持続時間が、第１の時間値よりも大きいかどうかを判定することと、
前記持続時間が前記第１の時間値よりも大きいときに、
前記第１の基地局によって、第１の無線アクセスネットワーク（ＲＡＮ）ページングメッセージを、前記無線デバイスと関連付けられたＲＡＮエリアの第３の基地局に伝送することと、
前記持続時間が前記第１の時間値以下であるときに、
前記第１の基地局によって、第２のＲＡＮページングメッセージを前記第２の基地局に伝送することと、
前記第１の基地局によって、前記第１のＲＡＮページングメッセージまたは前記第２のＲＡＮページングメッセージのうちの１つについて受信された応答に基づいて、前記少なくとも１つの第２のパケットを前記第２の基地局または前記第３の基地局のうちの１つに伝送することと、を含む、方法。
（項目９４）
第１の基地局によって、無線デバイスから、前記第１の基地局の第１のセルを介して、少なくとも１つの第１のパケットを受信することと、
前記第１の基地局によって、前記無線デバイスが無線リソース制御停止状態であるときに、コアネットワークエンティティから前記無線デバイスの少なくとも１つの第２のパケットを受信することと、
前記第１の基地局によって、第１の持続時間が第１の時間値よりも大きいことに応答して、第１の無線アクセスネットワーク（ＲＡＮ）ページングメッセージを、前記無線デバイスと関連付けられたＲＡＮエリアの第２の基地局に伝送することであって、前記第１の持続時間が、前記少なくとも１つの第１のパケットを前記受信することと、前記少なくとも１つの第２のパケットを前記受信することとの間の持続時間を含む、伝送することと、
前記第１の基地局によって、前記第１の持続時間が前記第１の時間値よりも小さいか大きいかに関係なく、前記ＲＡＮエリアの１つ以上の第２のセルを介して、第２のＲＡＮページングメッセージを伝送することであって、前記１つ以上の第２のセルが、第１のセルを含む、伝送することと、
前記第１の基地局によって、前記第１のＲＡＮページングメッセージまたは前記第２のＲＡＮページングメッセージのうちの１つについて受信された応答に基づいて、前記１つ以上の第２のセルまたは前記第２の基地局のうちの１つを介して、前記少なくとも１つの第２のパケットを前記無線デバイスに伝送することと、を含む、方法。
（項目９５）
無線デバイスによって、基地局から、
少なくとも１つの論理チャネル、または
少なくとも１つの無線ベアラ、のうちの少なくとも１つの構成パラメータを含む少なくとも１つの第１のメッセージを受信することと、
前記無線デバイスによって、前記基地局から、無線リソース制御（ＲＲＣ）接続状態からＲＲＣ停止状態への前記無線デバイスのＲＲＣ状態遷移を示す第２のメッセージを受信することと、
前記ＲＲＣ停止状態にある前記無線デバイスによって、前記構成パラメータに基づいて、第１のセルを選択することと、
前記無線デバイスによって、前記第１のセルを介して、ランダムアクセスプリアンブルを前記基地局に伝送することと、を含む、方法。
（項目９６）
前記構成パラメータが、
前記第１のセルの第１のセル識別子、
前記少なくとも１つの論理チャネルの少なくとも１つの論理チャネル識別子、または
前記少なくとも１つの無線ベアラの少なくとも１つの無線ベアラ識別子、のうちの少なくとも１つをさらに含む、項目９５に記載の方法。
（項目９７）
前記構成パラメータが、前記少なくとも１つの論理チャネルまたは前記少なくとも１つの無線ベアラと、前記第１のセルとの関連付けを示す、項目９５に記載の方法。
（項目９８）
前記構成パラメータが、前記少なくとも１つの論理チャネル、または前記少なくとも１つの無線ベアラと、
１つ以上のセルタイプ、または
１つ以上の周波数帯域、のうちの少なくとも１つとの関連付けを示す、項目９５に記載の方法。
（項目９９）
前記構成パラメータが、第１のネットワークスライスと、
前記第１のセル、
１つ以上のセルタイプ、または
１つ以上の周波数帯域のうちの少なくとも１つとの関連付けをさらに示す、項目９５に記載の方法。
（項目１００）
前記少なくとも１つの論理チャネルまたは前記少なくとも１つの無線ベアラが、第１のネットワークスライスと関連付けられている、項目９５に記載の方法。
（項目１０１）
前記基地局が、少なくとも前記無線デバイスが前記ＲＲＣ停止状態である時間中に、前記無線デバイスの無線デバイスコンテキストを保持し、前記無線デバイスコンテキストが、
ベアラ構成情報、
論理チャネル構成情報、
パケットデータコンバージェンスプロトコル構成情報、または
セキュリティ情報、のうちの少なくとも１つを含む、項目９５に記載の方法。
（項目１０２）
前記第１のセルを前記選択することが、アップリンクバッファが、
前記少なくとも１つの論理チャネル、または
前記少なくとも１つの無線ベアラ、のうちの少なくとも１つと関連付けられた１つ以上のパケットを含むことに応答する、項目９５に記載の方法。
（項目１０３）
前記ランダムアクセスプリアンブルメッセージを前記伝送することが、
アップリンクバッファが１つ以上のパケットを含むこと、
前記基地局からのページング表示、
第１の無線アクセスネットワーク通知エリアへの移動、または
第１のトラッキングエリアへの移動、のうちの少なくとも１つに応答する、項目９５に記載の方法。
（項目１０４）
１つ以上のプロセッサと、
命令を格納するメモリであって、該命令が、前記１つ以上のプロセッサによって実行されたときに、前記無線デバイスに、
基地局から、
少なくとも１つの論理チャネル、または
少なくとも１つの無線ベアラ、のうちの少なくとも１つの構成パラメータを含む少なくとも１つの第１のメッセージを受信することと、
前記基地局から、無線リソース制御（ＲＲＣ）接続状態からＲＲＣ停止状態への前記無線デバイスのＲＲＣ状態遷移を示す第２のメッセージを受信することと、
前記構成パラメータに基づいて第１のセルを選択することであって、前記無線デバイスが、前記ＲＲＣ停止状態にある、選択することと、
前記第１のセルを介して、ランダムアクセスプリアンブルを前記基地局に伝送することと、を行わせる、メモリと、を備える、無線デバイス。
（項目１０５）
前記構成パラメータが、
前記第１のセルの第１のセル識別子、
前記少なくとも１つの論理チャネルの少なくとも１つの論理チャネル識別子、または
前記少なくとも１つの無線ベアラの少なくとも１つの無線ベアラ識別子、のうちの少なくとも１つをさらに含む、項目１０４に記載の無線デバイス。
（項目１０６）
前記構成パラメータが、前記少なくとも１つの論理チャネルまたは前記少なくとも１つの無線ベアラと、前記第１のセルとの関連付けを示す、項目１０４に記載の無線デバイス。
（項目１０７）
前記構成パラメータが、前記少なくとも１つの論理チャネル、または前記少なくとも１つの無線ベアラと、
１つ以上のセルタイプ、または
１つ以上の周波数帯域、のうちの少なくとも１つとの関連付けを示す、項目１０４に記載の無線デバイス。
（項目１０８）
前記構成パラメータが、第１のネットワークスライスと、
前記第１のセル、
１つ以上のセルタイプ、または
１つ以上の周波数帯域、のうちの少なくとも１つとの関連付けを示す、項目１０４に記載の無線デバイス。
（項目１０９）
前記少なくとも１つの論理チャネルまたは前記少なくとも１つの無線ベアラが、第１のネットワークスライスと関連付けられている、項目１０４に記載の無線デバイス。
（項目１１０）
前記基地局が、少なくとも前記無線デバイスが前記ＲＲＣ停止状態である時間中に、前記無線デバイスの無線デバイスコンテキストを保持し、前記無線デバイスコンテキストが、
ベアラ構成情報、
論理チャネル構成情報、
パケットデータコンバージェンスプロトコル構成情報、または
セキュリティ情報、のうちの少なくとも１つを含む、項目１０４に記載の無線デバイス。
（項目１１１）
前記第１のセルを前記選択することが、アップリンクバッファが、
前記少なくとも１つの論理チャネル、または
前記少なくとも１つの無線ベアラ、のうちの少なくとも１つと関連付けられた１つ以上のパケットを含むことに応答する、項目１０４に記載の無線デバイス。
（項目１１２）
前記ランダムアクセスプリアンブルメッセージを前記伝送することが、
アップリンクバッファが１つ以上のパケットを含むこと、
前記基地局からのページング表示、
第１の無線アクセスネットワーク通知エリアまで移動すること、または
第１のトラッキングエリアまで移動すること、のうちの少なくとも１つに応答する、項目１０４に記載の無線デバイス。
（項目１１３）
基地局によって、
少なくとも１つの論理チャネル、または
少なくとも１つの無線ベアラ、のうちの少なくとも１つの構成パラメータを含む少なくとも１つの第１のメッセージを無線デバイスに伝送することと、
前記基地局によって、無線リソース制御（ＲＲＣ）接続状態からＲＲＣ停止状態への前記無線デバイスのＲＲＣ状態遷移を示す第２のメッセージを前記無線デバイスに伝送することと、
前記基地局によって、前記無線デバイスから、前記構成パラメータに基づいて前記無線デバイスによって選択された前記第１のセルを介して、ランダムアクセスプリアンブルを受信することであって、前記無線デバイスが、前記ＲＲＣ停止状態にある、受信することと、を含む、方法。
（項目１１４）
前記構成パラメータが、
前記第１のセルの第１のセル識別子、
前記少なくとも１つの論理チャネルの少なくとも１つの論理チャネル識別子、または
前記少なくとも１つの無線ベアラの少なくとも１つの無線ベアラ識別子、のうちの少なくとも１つをさらに含む、項目１１３に記載の方法。